(57)【要約】【課題】  遠赤外線方式の暖房器具をケコミ部分上面に設置する事により、器具を蹴る、床のホコリを舞い上げるということなく、足指先甲部分を効率的に暖める事を可能とする。【解決手段】  本発明では、前板と底板によって形成されるケコミ部分を有するフロアキャビネットにおいて、ケコミ空間上部の底板下面に、下方に熱をあてるように暖房器具を設ける。また、前記フロアキャビネットにおいて、ケコミ部分が、引き出しの底板と前板で構成される時に、最下段引出しの扉とケコミ板を連結する連結部下面に暖房器具を設ける。【選択図】  図２
2007306963.tif 000002
【特許請求の範囲】
【請求項１】
前板と底板とによって形成されるケコミ部分を有するフロアキャビネットにおいて、ケコミ部分上部の前記底板の下面に、下方に熱をあてるように取り付けられた暖房器具を設けたことを特徴とするフロアキャビネット。
【請求項２】
前記ケコミ部分が、前記フロアキャビネットの最下段に備えられる引き出しの底板と前板で形成されることを特徴とする請求項１記載のフロアキャビネット。
【発明の詳細な説明】
【技術分野】
【０００１】
本発明は、フロアキャビネットに係り、特に足指先甲部分を効率的に暖めるのに好適な暖房器具を備えたフロアキャビネットに関する発明である。 
【背景技術】
【０００２】
従来の暖房器具付フロアキャビネットは、温風暖房機をケコミ部分前面に設置している（例えば、特許文献１参照。）。 
このような場合、器具を足で蹴ってしまい、器具の故障のおそれがあった。また、温風を使っている事により、器具使用時に床のホコリが舞い上がるというおそれがあった。
【特許文献１】特開２００２−２７２５４２号公報
【発明の開示】
【発明が解決しようとする課題】
【０００３】
本発明は、上記問題を解決するためになされたもので、本発明の課題は、遠赤外線方式の暖房器具をケコミ部分上面に設置する事により、器具を蹴る、床のホコリを舞い上げるということなく、足指先甲部分を効率的に暖める事である。
【課題を解決するための手段】
【０００４】
上記目的を達成するために請求項１記載の発明によれば、暖房器具をケコミ部分上面に設置することにより、足指先甲部分を効率的に暖める事を可能とした。
【０００５】
また、請求項２記載の発明のよれば、ケコミ部分が、引き出しの底板と前板で構成される時に、最下段引出しの扉とケコミ板を連結する連結部下面に暖房器具を設けた事により、メンテナンス性を良くする事を可能とした。
【発明の効果】
【０００６】
本発明によれば、足指先甲部分を効果的に暖める事が出来るという効果がある。
【実施例】
【０００７】
以下、本発明の実施例１の概略を添付図面に示す実施形態に基づいて説明する。
図１に示すシステムキッチンは、調理作業に必要な器具を搭載したカウンター１０とフロアキャビネット２０、フロアキャビネット３０、フロアキャビネット４０を備える。また、カウンター１０の上方にはウォールキャビネット１、ウォールキャビネット２、レンジフード３を備えている。カウンター１０は、水周り作業スペースシンク１３、調理作業スペース１２、火まわり作業スペースコンロ１１に使い分けられる。
フロアキャビネット２０は、図２の断面図に示すように裏板２１と図示しない側板と、図示しない天板と、底板２２・２３と、扉２４と、前板２５からなる。また、前板２５と、底板２２によって構成されるケコミ空間２６の上部である底板２２の下面に、後に詳述する暖房器具５０を備える。
暖房器具５０は、人感センサー５１と制御部５２、コンセント５３を備え、フロアキャビネット２０、３０、４０に通しで設置されている。制御部５２とコンセント５３は、底板２２と２３の間に出来る空間に配置される。
次に、本発明の動作について説明する。
使用者が人感センサー５１に近づくと、制御部５２を介してコンセント５３から電源が入り、暖房器具５０が作動し、足指先を暖める。また、人が人感センサー５１から離れると、暖房器具５０は一定時間で自動的に切れる。
次に、本発明の効果について説明する。
ケコミ空間２６の上部である底板２２の下面に暖房器具５０を設置する事により、図２の矢印の向きで熱をあて、特に足指先甲部分を効果的に暖める事が出来る。
また、ケコミ空間２６の上部に暖房器具５０を設置する事により、足が直接器具にあたる可能性が低くなるため、物の衝突による機器の故障の心配がなくなる。
さらに、図１に示すように暖房器具５０を一本通しで設置する事により、電源が一つで良くなる。
また、暖房器具５０は底板２２の下面に設置しており、扉２４と一体で組立てられていない。よって、引き出し扉でも開き扉でも使え、使用者は自由に扉のタイプを選ぶ事が出来る。
また、人感センサーによる作動を行う事により、わずらわしいスイッチの付け消しが不要になり、省電力にもなる。
なお、暖房器具５０に輻射式に暖める遠赤外線を使用することにより、対流式に暖める温風暖房機よりも効率的に人体や床を暖める事ができる。
【０００８】
以下、本発明の実施例２の概略を添付図面に示す実施形態に基づいて説明する。
実施例２は、実施例１と異なり、引き出しタイプのキャビネットのケコミ部に暖房器具を備える。図３に示すシステムキッチンは、調理作業に必要な器具を搭載したカウンター４とケコミ部分も収納スペースとした引き出しタイプのフロアキャビネット６０、８０、１００を備える事を特徴とするシステムキッチンである。
図４にフロアキャビネット６０の詳細図を示す。フロアキャビネット６０は天板６１と２枚の側板６２と側板６２の対面に配置する図示しない側板と、図５に示す裏板６３と、図５に示す底板６４と、最下段の引き出し６５、とその上に位置する引出し６６、６７を備える。
引き出し６５は、図５の断面図に示す通り、扉６８とケコミ板６９とそれら２枚の板を繋げる連結部７０、収納部分７１を備える。また、連結部７０の下面には後に詳述する暖房器具９０が備えられる。
暖房器具９０は、人感センサー９１と制御部９２とコンセント９３を備える。尚、本実施例は、人感センサー９１と制御部９２の代わりに、暖房器具９０に内蔵のタイマーを備えてもよい。また、本実施例はコンセントによって電源を確保しているが、引き出し自体に電源装置を備えても良い。
扉６８とケコミ板６９と連結部７０と収納部７１は一体になっており、引出しとしてキャビネットから取り外す事が可能である。
尚本実施例では、最下段に備えられる引き出しの底板として連結部７０、また前板としてケコミ板６９としている。
フロアキャビネット８０、１００もフロアキャビネット６０と同様の構成である。
次に、本発明の動作について説明する。
使用者が人感センサー９１に近づくと、制御部９２を介してコンセント９３から電源が入り、暖房器具９０が作動し、足指先を暖める。また、人が人感センサー９１から離れると、暖房器具９０は一定時間で自動的に切れる。
フロアキャビネット８０、１００もフロアキャビネット６０と同様の動作を行う。
次に、本発明の効果について説明する。
実施例２は、実施例１と異なり、引き出し自体に暖房器具９０が備えられている。これにより、器具の寿命が来た時も引出しごと取り替えられるようになり、メンテナンス性が良い。
また、キャビネットごとにセンサーと暖房器具を設ける事により、常に必要な箇所の暖房器具のみを作動させる事ができ、省電力になる。
【図面の簡単な説明】
【０００９】
【図１】本発明に関わるフロアキャビネットの第１実施例を示すシステムキッチンの斜視図である。
【図２】本発明の第１実施例に関わるフロアキャビネットの詳細図である。
【図３】本発明に関わるフロアキャビネットの第２実施例を示すシステムキッチンの斜視図である。
【図４】本発明の第２実施例に関わるフロアキャビネットの詳細図である。
【図５】本発明の第２実施例に関わる引出しの断面図である。
【符号の説明】
【００１０】
１０…カウンター
１１…火まわり作業スペースコンロ
１２…調理作業スペース
１３…水周り作業スペースシンク
２０…フロアキャビネット
２１…裏板
２２…底板
２３…底板
２４…扉
２５…前板
２６…ケコミ空間
５０…暖房器具
５１…人感センサー
５２…制御部
５３…コンセント
６０…フロアキャビネット
６５…引き出し
６８…扉
６９…ケコミ板
７０…連結部
９０…暖房器具
９１…人感センサー
９２…制御部
９３…コンセント
【図１】
2007306963.tif 000003
【図２】
2007306963.tif 000004
【図３】
2007306963.tif 000005
【図４】
2007306963.tif 000006
【図５】
2007306963.tif 000007